(57)【要約】エレベータかごアッセンブリ１０が、昇降路３０の壁３４と係合する少なくとも１つのランナ４０を備えており、これにより、ランナ４０が昇降路壁３４と接触しながら、かごアッセンブリ１０は昇降路３０内を移動できる。ランナは、ホイール４０であることが好ましい。ホイール４０によって、かごアッセンブリ１０の懸架点と該かごアッセンブリ１０の重心との間のオフセットにより生じる回転モーメントが相殺される。ホイール４０は、かごアッセンブリの一方の側における下部およびかごアッセンブリ１０の他方の側における上部に設けられることが好ましい。
2009544550.tif 000002
【特許請求の範囲】
【請求項１】
昇降路壁と係合する少なくとも１つのランナを備え、このランナが昇降路壁に接触しながら、昇降路内を移動できるエレベータかごアッセンブリ。
【請求項２】
回転モーメントがかごアッセンブリに生じるように昇降路内に懸架されたエレベータかごアッセンブリを備え、このエレベータかごアッセンブリが、前記回転モーメントを相殺するように昇降路壁と係合する少なくとも１つのランナをさらに有するエレベータシステム。
【請求項３】
前記少なくとも１つのランナは、前記エレベータかごアッセンブリの一方の側に設けられることを特徴とする請求項１または２に記載のエレベータかごアッセンブリまたはエレベータシステム。
【請求項４】
前記少なくとも１つのランナは、前記かごアッセンブリの１つまたは複数の懸架点と同じ側にある前記エレベータかごアッセンブリの下部に配置されることを特徴とする請求項３に記載のエレベータかごアッセンブリまたはエレベータシステム。
【請求項５】
反対側の昇降路壁と係合するように前記かごアッセンブリにおける反対側の上部に設けられた１つまたは複数の他のランナを備えることを特徴とする請求項４に記載のエレベータかごアッセンブリまたはエレベータシステム。
【請求項６】
前記少なくとも１つのランナは、前記かごアッセンブリの１つまたは複数の懸架点とは反対側にある前記エレベータかごアッセンブリの上部に設けられることを特徴とする請求項３に記載のエレベータかごアッセンブリまたはエレベータシステム。
【請求項７】
前記少なくとも１つのランナは、滑りエレメントであることを特徴とする請求項１〜６のいずれかに記載のエレベータかごアッセンブリまたはエレベータシステム。
【請求項８】
前記少なくとも１つのランナは、転がりエレメントを備えることを特徴とする請求項１〜６のいずれかに記載のエレベータかごアッセンブリまたはエレベータシステム。
【請求項９】
前記転がりエレメントは、ローラであることを特徴とする請求項８に記載のエレベータかごアッセンブリまたはエレベータシステム。
【請求項１０】
前記転がりエレメントは、ホイールであることを特徴とする請求項８に記載のエレベータかごアッセンブリまたはエレベータシステム。
【請求項１１】
前記転がりエレメントは、弾性面を備えることを特徴とする請求項８〜１０のいずれかに記載のエレベータかごアッセンブリまたはエレベータシステム。
【請求項１２】
前記ホイールは、タイヤを備えることを特徴とする請求項１０に記載のエレベータかごアッセンブリまたはエレベータシステム。
【請求項１３】
１つまたは各々の望ましい位置に設けられた１つのランナを備えることを特徴とする請求項１〜１２のいずれかに記載のエレベータかごアッセンブリまたはエレベータシステム。
【請求項１４】
１つまたは各々の望ましい位置に設けられた複数のランナを備えることを特徴とする請求項１〜１２のいずれかに記載のエレベータかごアッセンブリまたはエレベータシステム。
【請求項１５】
前記ランナは、前記かごアッセンブリの１つまたは複数の側部にわたって離間していることを特徴とする請求項１４に記載のエレベータかごアッセンブリまたはエレベータシステム。
【請求項１６】
前記かごアッセンブリは、かご枠と、該かご枠に取り付けられたかご構成要素と、を備えることを特徴とする請求項１〜１５のいずれかに記載のエレベータかごアッセンブリまたはエレベータシステム。
【請求項１７】
１つまたは複数のランナが、前記かご枠に取り付けられることを特徴とする請求項１６に記載のエレベータかごアッセンブリまたはエレベータシステム。
【請求項１８】
１つまたは複数のランナが、前記かご構成要素に取り付けられることを特徴とする請求項１６または１７に記載のエレベータかごアッセンブリまたはエレベータシステム。
【請求項１９】
１つまたは複数のランナが、前記かごアッセンブリの天井に取り付けられることを特徴とする請求項１８に記載のエレベータかごアッセンブリまたはエレベータシステム。
【請求項２０】
昇降路内においてかごアッセンブリを巻き上げる方法であって、かごアッセンブリに回転モーメントが生じる位置において前記かごアッセンブリに巻き上げ力を作用させるステップと、前記回転モーメントを相殺するために前記昇降路の壁と係合するように前記かごアッセンブリに少なくとも１つのランナを設けるステップと、を含む方法。
【請求項２１】
昇降路においてエレベータ装置を設置する方法であって、設置用プラットホームとして請求項１〜１９のいずれかに記載のかごアッセンブリを使用するステップを含む方法。
【請求項２２】
昇降路においてエレベータ装置を持ち上げる方法であって、請求項１〜１９のいずれかに記載のかごアッセンブリを使用するステップを含む方法。
【発明の詳細な説明】
【技術分野】
【０００１】
本発明は、エレベータに関し、特に、エレベータの設置に関する。
【背景技術】
【０００２】
昇降路内においてガイドレールのようなエレベータ装置を設置するときに、設置作業者が作業するためのプラットホームを昇降路内に設けることが必要である。従来は、これは、昇降路内に足場を立てることによってなされてきた。しかし、これは、コストがかかり、厄介である。というのは、この足場は、最初の場所に立てる必要があるだけでなく、エレベータかご自体が設置される前に昇降路から取り除く必要があるからである。
【０００３】
したがって、ごく最近では、設置用プラットホームとしてエレベータかご自体を使用することが提案されてきた。このような構成は、国際公開第９８／４０３０５号パンフレットにおいて説明されている。
【０００４】
片持ちエレベータの設置において特定の問題が生じる。片持ちエレベータでは、エレベータシステムのガイドレールがエレベータかごの一方の側に配置されており、エレベータかごが片持ちの形態でガイドレールから突出している。図１Ａに示されているように、エレベータかご２は、かご枠４に一般に取り付けられており、該かご枠４は、枠自体がガイドレールに一般に取り付けられている。設置の際には、ホイストが、懸架位置６においてかご枠に取り付けられている。しかし、この取付位置は、かご２の重心８からオフセットされている。これにより、図１Ａに示されているように、回転モーメントＭが生じ、これが相殺されなければ、図１Ｂに示されているように、かご２が回転し得る。
【発明の概要】
【発明が解決しようとする課題】
【０００５】
通常では、このモーメントは、ガイドレールに作用するようにかご枠４に設けられたガイドローラによって相殺されるものである。しかし、これは、かごを設置用プラットホームとして使用するために、ガイドレールが昇降路内に既に設置されていなければならないことを意味する。これは、ガイドレール自体の設置を補助するためにかごを使用できないので不利である。したがって、本発明は、上記の問題を克服するか、または少なくとも緩和するように努めるものである。
【課題を解決するための手段】
【０００６】
したがって、第１の特徴では、本発明は、昇降路壁と係合するように配置された少なくとも１つのランナを備えたエレベータかごアッセンブリを提供しており、これにより、ランナが昇降路壁と接触しながら、かごアッセンブリが昇降路内を移動できる。
【０００７】
したがって、本発明では、エレベータかごアッセンブリは、１つまたは複数のランナを備えており、これにより、ランナが壁と係合しながら、かごが昇降路内を上下に移動できる。これにより、昇降路内においてかごが案内され、懸架荷重のオフセットにより生じるモーメントが相殺される。
【０００８】
したがって、第２の特徴では、本発明は、回転モーメントがかごアッセンブリに生じるように昇降路内に懸架されたエレベータかごアッセンブリを備えたエレベータシステムを提供する。ここで、エレベータかごアッセンブリは、昇降路壁と係合する少なくとも１つのランナをさらに備えており、回転モーメントが相殺される。
【０００９】
本発明の簡単な実施例では、少なくとも１つのランナが、エレベータかごアッセンブリの一方の側のみに設けられてもよい。より具体的には、少なくとも１つのランナは、エレベータかごアッセンブリの１つまたは複数の懸架点と同じ側にあるエレベータかごアッセンブリの下部に配置されてもよい。これは、有利である。というのは、かごアッセンブリの重量によって生じる回転モーメントによって、かごアッセンブリの下端部をエレベータの壁に向かって回転させ、これにより、ランナが昇降路壁と係合して昇降路内のかごの回転が制限されるからである。
【００１０】
上述された構成は、かごの回転方向に比較的広い昇降路に適することがある。しかし、より狭い昇降路では、回転モーメントによってかごが回転すると、かごアッセンブリの反対側にある上部のコーナ部が反対側の昇降路壁に接触してかごの移動が妨げられることがある。本発明の他の実施例では、１つまたは複数の他のランナが反対側の昇降路壁と係合するようにかごアッセンブリの反対側の上部に設けられてもよい。
【００１１】
勿論、昇降路における特定のレイアウトに基づいて、上部の位置のみに１つまたは複数のランナを設けることが可能である。
【００１２】
ランナは、昇降路壁にわたってスライドし得る滑りエレメントを備えてもよいが、例えば、ローラまたはより好ましくはホイールである転がりエレメントを備えることが好ましい。
【００１３】
ローラまたはホイールは、昇降路内の不連続部により追従し、振動や騒音を最小化するように弾性面を備えることが好ましい。例えば、ホイールは、例えばゴムからなるタイヤを備えてもよい。
【００１４】
１つのランナが、１つまたは各々の望ましい位置に設けられてもよいが、複数のランナが各々の望ましい配置に設けられることが好ましい。かごアッセンブリに向上した安定性を与えるように、これらのランナが、かごアッセンブリの１つまたは複数の側部にわたって離間していることが最も好ましい。
【００１５】
かごアッセンブリは、かご枠と、この枠に取り付けられたかご構成要素と、を備えることが好ましい。ランナは、枠および／またはかご構成要素に取り付けられてもよい。かごの下部に設けられたランナをエレベータかご枠に取り付け、かごの上部に設けられたランナをかごアッセンブリの天井に取り付けることができることが最も便利である。
【００１６】
本発明は、かごアッセンブリに回転モーメントが生じる位置においてかごアッセンブリに巻き上げ力を作用させるステップと、この回転モーメントを相殺するために昇降路壁と係合するようにかごアッセンブリに少なくとも１つのランナを設けるステップと、を含む、昇降路内においてかごアッセンブリを巻き上げる方法に拡張されることを理解されたい。
【００１７】
また、本発明は、昇降路においてエレベータ装置を設置する方法であって、設置用プラットホームとして本発明のかごアッセンブリを使用するステップを含む方法と、昇降路においてエレベータ装置を持ち上げる方法であって、本発明のかごアッセンブリを使用するステップを含む方法と、にも拡張されることを理解されたい。
【００１８】
本発明の好ましい実施例が、同じ表示が同じ特徴部を示す添付の図面を参照する例のみによって説明される。
【図面の簡単な説明】
【００１９】
【図１Ａ】片持ちのエレベータシステムの概略図である。
【図１Ｂ】片持ちのエレベータシステムの概略図である。
【図２】本発明のかごアッセンブリの概略図である。
【図３】昇降路内における図２のかごアッセンブリの概略図である。
【図４】かごアッセンブリに取り付けられたホイールアッセンブリの概略図である。
【図５】昇降路内の原位置における本発明のエレベータかごアッセンブリの内部を示した正面図である。
【図６】かごアッセンブリに取り付けられたホイールを詳細に示した図である。
【図７】かご枠への下部ホイールの設置を概略的に示した図である。
【図８】かごアッセンブリへの上部ホイールの設置を示した図である。
【図９】かごアッセンブリへのブラケットの取付を示した図である。
【図１０】昇降路内において巻き上げの準備をされているかごアッセンブリを示した図である。
【図１１】昇降路内において巻き上げられているかごアッセンブリを示した図である。
【図１２】昇降路の頂部における位置にあるかごアッセンブリを示した図である。
【図１３】昇降路装置を設置する位置にあるかごアッセンブリを示した図である。
【図１４】かごアッセンブリを使用しながらガイドレール壁のブラケットを設置する様子を示した図である。
【図１５】かごアッセンブリからホイールを取り除く様子を示した図である。
【発明を実施するための形態】
【００２０】
最初に、図２を参照すると、本発明のエレベータかごアッセンブリ１０が、かご本体部１２と、該かご本体部１２を支持するかご枠１４と、を備える。かご枠１４は、概ねＬ型であり、クロス部材１８によって接続された２つのＬ型側部部材１６を備えている。各Ｌ型部材１６は、チャネル断面の垂直方向部材２０と、該垂直方向部材２０に適切に取り付けられた水平方向部材２２と、を備える。
【００２１】
かご本体部１２は、水平方向部材２２に取り付けられたフロア２４、壁パネル２６、天井パネル２８を備える。
【００２２】
かごアッセンブリ１０は、昇降路３０内に配置されて示されている。エレベータシステムが完全に設置された状態では、垂直方向枠部材２０は、該枠部材内に設けられたローラ（図示せず）によって、エレベータガイドレール３１（図３）にかごアッセンブリを片持ち形式で取り付けることになる。
【００２３】
エレベータシステムの設置中に、昇降路３０内においてかごアッセンブリ１０を引き上げるために、図５に概略的に示されている巻き上げロープ３２が、かご枠１４の上部に取り付けられており、これにより、巻き上げ力はかご本体部１２に直接作用しない。巻き上げロープ３２は、かごアッセンブリを懸架しており、図１Ａおよび図１Ｂに示されているように、かごアッセンブリの懸架点と重心とがオフセットしているために回転モーメントＭが生じる。この回転モーメントが相殺されなければ、かごアッセンブリ１０が回転して昇降路壁３４に接触し得る。
【００２４】
このモーメントを相殺するために、かごアッセンブリ１０は、該かごアッセンブリ１０から突出した複数のホイール４０を備えており、これらのホイール４０が昇降路壁３４と係合する。ホイール４０は、下部の対４２および上部の対４４として配置される。
【００２５】
下部の対４２におけるホイール４０は、垂直方向かご枠部材２０における外側面４６に取り付けられる。図４および図６においてより詳細に示されているように、各ホイール４０は、プレート５２によって支持されたシャフト５０に取り付けられており、該プレート５２は、例えば、ボルト４７のような締め具によって垂直方向枠部材２０にボルト締めで固定されている。
【００２６】
上部の対４４におけるホイール４０は、エレベータかごの構造用天井２８に取り付けられており、これにより、堅固な支持が提供され、下部の対４２におけるホイール４０と類似の構造となる。
【００２７】
各ホイールは、昇降路壁３４と係合する弾性的なタイヤ４８、例えば、ゴムを備えており、これにより、昇降路壁の不連続部にタイヤ４８がより追従し、振動や騒音を最小化する。
【００２８】
図３に最も良く見られるように、上部の対４４および下部の対４２それぞれのホイール４０は、横方向に離間しており、これにより、巻き上げ中にかごアッセンブリ１０が垂直方向軸を中心に回転することが実質的に防止される。したがって、図示の実施例では、かごアッセンブリは、巻き上げ中に水平方向軸および垂直方向軸の各々を中心に回転することが実質的に防止される。
【００２９】
上述したように、本発明の利点は、昇降路３０内においてエレベータ装置を設置する際にかごアッセンブリを設置用プラットホームとして使用できることである。これは、図７〜図１３に概略的に示されている。
【００３０】
図７には、かご枠１４が示されており、昇降路３０の底部に配置されたかごフロア２４が、このかご枠１４に取り付けられている。かご枠１４は、支柱７０によって支持される。かごアッセンブリがこの位置にあるときに、作業者７２は、図示されているように、垂直方向かご枠部材２０に下部の対４２におけるホイールを設置する。ホイール４０は、昇降路壁３４と係合するように配置される。
【００３１】
次に、作業者７２は、かご枠１４およびかごフロア２４にかご本体部１２を建てる。より具体的には、側壁パネル２６が建てられ、フロア２４および枠１４と、該側壁パネル２６の頂部に位置し、構造用ブラケット７４によって枠１４に固定されたかご天井２８と、に適切に固定される。この構造は、図８に示されているように、作業者７２がかご天井２８上に立ち、該かご天井２８に上部の対４４におけるホイールを設置することが可能なほど十分に強固である。上部の対４４におけるホイールも昇降路壁３４に接触するように配置される。
【００３２】
上部の対４４におけるホイールがかごアッセンブリ１２に設置されると、かごアッセンブリは、昇降路３０を通して巻き上げ可能となる。巻き上げを効果的にするために、作業者７２は、図９に示されているように、各枠部材２０にリフティングブラケット７８およびマシン支持ブラケット８０を取り付ける。
【００３３】
次に、エレベータマシン８２および該マシン８２の支持部１１０が、隣接した乗り場８４から昇降路３０内に持ち上げられ、昇降路３０内での持ち上げを行うために、マシン支持ブラケット８０に取り付けられる。
【００３４】
次に、図１０に示されているように、昇降路内においてかごアッセンブリを懸架するために、巻上げワイヤ８８を受けるリフティングプーリ８６が、リフティングブラケット７８に取り付けられる。最後に、マシン８２用の支持チェーン９０およびかごアッセンブリ１０用の支持チェーン９２が、アッセンブリにそれぞれ取り付けられる。
【００３５】
次に、作業者７２は、図１２に示されているように、制御ユニット９６によって制御されるホイスト９４を用いてかごアッセンブリ１０およびエレベータマシン８２を昇降路３０を通して持ち上げることができ、これは、かごアッセンブリ１０が昇降路３０の最上部の乗り場１００に到達するまで行われる。ホイール４０と昇降路壁３４との係合によって、かごアッセンブリ１０が昇降路３０内において上昇するときに垂直方向軸および水平方向軸を中心に回転することが防止される。
【００３６】
最上部の乗り場１００において、作業者７２は、昇降路３０の天井１０４におけるフック１０２にかごアッセンブリ支持チェーン９２を取り付ける。次に、マシン支持チェーン９０が、昇降路の天井１０４におけるフック１０６に取り付けられる。これがなされた後に、かごガイドレール１０８を昇降路３０に導入し、モータ支持部１１０に取り付けることが可能となる。より小さな昇降路では、一対のフック１０２，１０６のみが必要であり、かごアッセンブリ支持チェーン９２およびマシン支持チェーン９０は、同じフックに取り付けられる。
【００３７】
また、カウンタウエイトガイドレール１１２およびカウンタウエイト（図示せず）が、昇降路内に導入される。これにより、図１３に示されているように、エレベータ用の駆動ベルト１１４が設置可能となる。好ましいローピング構成は、２：１である。この構成では、駆動ベルト１１４の各端部が、昇降路の頂部に、例えば、マシン支持部１１０に固定されており、この駆動ベルト１１４は、カウンタウエイトおよびかご枠１４にそれぞれ設けられたアイドラシーブの周囲を通過し、マシン８２の駆動シーブ１１６の周囲を通過する。他の設置では、他のローピング構成が適切となり得ることが理解されるであろう。
【００３８】
これが完了すると、かごアッセンブリ１０は、マシン８２によって昇降路内において上下に移動されてもよい。このとき、マシン８２は、該マシン８２のチェーン９０に支持されたままである。実際には、マシン８２は、ホイストとして使用される。図１４に示されているように、これは、エレベータかごの天井パネル２８上に立つことができる作業者によって実施可能である。このとき、ホイール４０は、かごアッセンブリ１０に取り付けられたままであり、これにより、昇降路内においてかごアッセンブリ１０の移動は、安定している。これは、必要である。というのは、駆動ベルト１１４がかごアッセンブリ１０の重心からオフセットしてかごアッセンブリ１０に取り付けられており、これにより、かごアッセンブリ１０の重量により回転モーメントが生じてしまうからである。
【００３９】
かごアッセンブリ１０が昇降路３０内において下方に移動されるときに、作業者は、昇降路壁３４にガイドレール支持ブラケット１２０のようなシステム構成要素を設置できる。
【００４０】
昇降路３０において必要な作業の全てが完了し、かごアッセンブリが昇降路のベースに再び戻ったときに、図１５に示されているように、作業者７２は、ホイール４０を取り除くことができる。その後、かごの移動は、かごアッセンブリ１０とかごガイドレール３１との通常の係合によって安定化される。この時点までは、ホイール４０は、昇降路内においてかごアッセンブリ１０が傾くことを防止し、従って、ガイドレール３１と完全に係合したかご枠が必要とならない。
【００４１】
上述の説明は、本発明の好ましい実施例に関するものであり、本発明の範囲を逸脱することなく多くの修正が説明された構成になされ得ることが理解されるであろう。例えば、本発明は、上述された特定の例だけでなく、片持ち式のエレベータ全てに適用可能である。
【図１Ａ−１Ｂ】
2009544550.tif 000003
【図２】
2009544550.tif 000004
【図３】
2009544550.tif 000005
【図４】
2009544550.tif 000006
【図５】
2009544550.tif 000007
【図６】
2009544550.tif 000008
【図７】
2009544550.tif 000009
【図８】
2009544550.tif 000010
【図９】
2009544550.tif 000011
【図１０】
2009544550.tif 000012
【図１１】
2009544550.tif 000013
【図１２】
2009544550.tif 000014
【図１３】
2009544550.tif 000015
【図１４】
2009544550.tif 000016
【図１５】
2009544550.tif 000017
【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
回転モーメントがかごアッセンブリ（１０）に生じるように昇降路（３０）内に懸架されたエレベータかごアッセンブリ（１０）を備え、このエレベータかごアッセンブリ（１０）が、回転モーメントを相殺するように昇降路壁（３４）と係合する少なくとも１つのランナ（４０）をさらに有する片持ちエレベータシステム。
【請求項２】
前記少なくとも１つのランナ（４０）は、前記エレベータかごアッセンブリ（１０）の一方の側に設けられることを特徴とする請求項１に記載の片持ちエレベータシステム。
【請求項３】
前記少なくとも１つのランナ（４０）は、前記かごアッセンブリの１つまたは複数の懸架点と同じ側にある前記エレベータかごアッセンブリ（１０）の下部に配置されることを特徴とする請求項２に記載の片持ちエレベータシステム。
【請求項４】
反対側の昇降路壁（３４）と係合するように前記かごアッセンブリ（１０）における反対側の上部に設けられた１つまたは複数の他のランナ（４０）を備えることを特徴とする請求項３に記載の片持ちエレベータシステム。
【請求項５】
前記少なくとも１つのランナ（４０）は、前記かごアッセンブリ（１０）の１つまたは複数の懸架点とは反対側にある前記エレベータかごアッセンブリ（１０）の上部に設けられることを特徴とする請求項２に記載の片持ちエレベータシステム。
【請求項６】
前記少なくとも１つのランナ（４０）は、滑りエレメントであることを特徴とする請求項１〜５のいずれかに記載の片持ちエレベータシステム。
【請求項７】
前記少なくとも１つのランナ（４０）は、転がりエレメントを備えることを特徴とする請求項１〜５のいずれかに記載の片持ちエレベータシステム。
【請求項８】
前記転がりエレメントは、ローラであることを特徴とする請求項７に記載の片持ちエレベータシステム。
【請求項９】
前記転がりエレメントは、ホイールであることを特徴とする請求項７に記載の片持ちエレベータシステム。
【請求項１０】
前記転がりエレメントは、弾性面を備えることを特徴とする請求項７〜９のいずれかに記載の片持ちエレベータシステム。
【請求項１１】
前記ホイールは、タイヤを備えることを特徴とする請求項９に記載の片持ちエレベータシステム。
【請求項１２】
１つまたは各々の望ましい位置に設けられた１つのランナ（４０）を備えることを特徴とする請求項１〜１１のいずれかに記載の片持ちエレベータシステム。
【請求項１３】
１つまたは各々の望ましい位置に設けられた複数のランナ（４０）を備えることを特徴とする請求項１〜１１のいずれかに記載の片持ちエレベータシステム。
【請求項１４】
前記ランナ（４０）は、前記かごアッセンブリ（１０）の１つまたは複数の側部にわたって離間していることを特徴とする請求項１３に記載の片持ちエレベータシステム。
【請求項１５】
前記かごアッセンブリ（１０）は、かご枠（１４）と、該かご枠に取り付けられたかご構成要素（１２）と、を備えることを特徴とする請求項１〜１４のいずれかに記載の片持ちエレベータシステム。
【請求項１６】
１つまたは複数のランナ（４０）が、前記かご枠（１４）に取り付けられることを特徴とする請求項１５に記載の片持ちエレベータシステム。
【請求項１７】
１つまたは複数のランナ（４０）が、前記かご構成要素（１２）に取り付けられることを特徴とする請求項１５または１６に記載の片持ちエレベータシステム。
【請求項１８】
１つまたは複数のランナ（４０）が、前記かごアッセンブリ（１０）の天井（２８）に取り付けられることを特徴とする請求項１７に記載の片持ちエレベータシステム。
【請求項１９】
エレベータシステムの設置中に昇降路（３０）内においてかごアッセンブリ（１０）を巻き上げる方法であって、かごアッセンブリ（１０）に回転モーメントが生じる位置において前記かごアッセンブリ（１０）に巻き上げ力を作用させるステップと、前記回転モーメントを相殺するために前記昇降路（３０）の壁（３４）と係合するように前記かごアッセンブリ（１０）に少なくとも１つのランナ（４０）を設けるステップと、を含む方法。
【請求項２０】
前記昇降路（３０）内においてかごガイドレール（１０８）を設置するステップをさらに含むことを特徴とする請求項１９に記載の方法。
【請求項２１】
前記エレベータシステム用の駆動ベルト（１１４）を設置するステップをさらに含むことを特徴とする請求項１９または２０に記載の方法。
【請求項２２】
前記少なくとも１つのランナ（４０）を取り除くステップをさらに含むことを特徴とする請求項１９〜２１のいずれかに記載の方法。
【請求項２３】
昇降路においてエレベータ装置を設置する方法であって、前記昇降路（３０）の壁（３４）と係合する少なくとも１つのランナ（４０）を備え、このランナ（４０）が昇降路壁（３４）と接触しながら、昇降路（３０）内を移動できるかごアッセンブリ（１０）を設置用プラットホームとして使用するステップを含む方法。
【請求項２４】
昇降路（３０）において片持ちエレベータ装置を持ち上げる方法であって、昇降路（３０）の壁（３４）と係合する少なくとも１つのランナ（４０）を備え、このランナ（４０）が昇降路壁（３４）と接触するかごアッセンブリ（１０）を使用するステップを含む方法。
【国際調査報告】
2009544550.tif 000018
2009544550.tif 000019